(57)【要約】【課題】  複数の容器が積層状態で陳列されるときにも鮮度を維持することができる食品用容器を提供する。【解決手段】  合成樹脂フイルム材により形成される食品用容器であって、容器本体１は、底壁１１と、底壁１１よりも上方に向けて延設される本体側壁１２と、本体側壁１２の上端側で外周に向かって延設される本体フランジ部１３とを備え、蓋体２は、天井壁２１と、天井壁２１の周縁に延設される蓋体側壁２３と、蓋体側壁２３の下端側で外周に向かって延設される蓋体フランジ部２５とを備え、本体側壁１２、蓋体側壁２２に空気孔Ａが形成されるようにする。【選択図】        図１
0003125511.tif 000002
【実用新案登録請求の範囲】
【請求項１】
容器本体（１）と、容器本体（１）を閉じる蓋体（２）とが合成樹脂フイルム材により形成される食品用容器であって、
容器本体（１）は、水平面を有する底壁（１１）と、底壁（１１）の周縁から底壁（１１）よりも上方に向けて延設される本体側壁（１２）と、本体側壁（１２）の上端側で外周に向かって延設される本体フランジ部（１３）とを備え、
蓋体（２）は、容器本体（１）を閉じたときに水平面となる天井壁（２１）と、天井壁（２１）の周縁に延設される蓋体側壁（２３）と、蓋体側壁（２３）の下端側で外周に向かって延設され本体フランジ部（１３）と面接する蓋体フランジ部（２５）とを備え、
本体側壁（１２）および蓋体側壁（２２）に空気孔（Ａ）が形成されることを特徴とする食品用容器。
【請求項２】
容器本体（１）と、容器本体（１）を閉じる蓋体（２）とが合成樹脂フイルム材により形成される食品用容器であって、
容器本体（１）は、水平面を有する底壁（１１）と、底壁（１１）の周縁から底壁（１１）よりも上方に向けて延設される本体側壁（１２）と、本体側壁（１２）の上端側で外周に向かって延設される本体フランジ部（１３）とを備え、
蓋体（２）は、容器本体（１）を閉じたときに水平面となる天井壁（２１）と、天井壁（２１）の周縁に延設される蓋体側壁（２３）と、蓋体側壁（２３）の下端側で外周に向かって延設され本体フランジ部（１３）と当接する蓋体フランジ部（２５）とを備え、
蓋体側壁（２２）に空気孔（Ａ）が形成され、容器本体（１）には空気孔が形成されないようにすることを特徴とする食品用容器。
【請求項３】
容器本体（１）と、容器本体（１）を閉じる蓋体（２）とが合成樹脂フイルム材により形成される食品用容器であって、
容器本体（１）は、水平面を有する底壁（１１）と、底壁（１１）の周縁から底壁（１１）よりも上方に向けて延設される本体側壁（１２）と、本体側壁（１２）の上端側で外周に向かって延設される本体フランジ部（１３）とを備え、
蓋体（２）は、容器本体（１）を閉じたときに水平面となる天井壁（２１）と、天井壁（２１）の周縁に延設される蓋体側壁（２３）と、蓋体側壁（２３）の下端側で外周に向かって延設され本体フランジ部（１３）と当接する蓋体フランジ部（２５）とを備え、
本体側壁（１２）に空気孔（Ａ）が形成され、蓋体（２）には空気孔が形成されないようにすることを特徴とする食品用容器。
【請求項４】
容器本体（１）と、容器本体（１）を閉じる蓋体（２）とが合成樹脂フイルム材により形成される食品用容器であって、
容器本体（１）は、水平面を有する底壁（１１）と、底壁（１１）の周縁から底壁（１１）よりも上方に向けて延設される本体側壁（１２）と、本体側壁（１２）の上端から外周に向かって延設される水平段部（１５）と、水平段部（１５）の外周縁から垂下される垂下壁（１６）と、垂下壁（１６）の下端から外周に向かって延設される本体フランジ部（１３）とを備え、
蓋体（２）は、容器本体（１）を閉じたときに水平面となる天井壁（２１）と、天井壁（２１）の周縁から外側上方に延設される段部（２２）と、段部（２２）の外周縁から外側下方に向けて延設される蓋体側壁（２３）と、蓋体側壁（２３）の外周縁から外周に向けて延設され容器本体（１）の水平段部（１５）と面接する水平鍔部（２４）と、水平鍔部（２４）の外周縁に形成され、容器本体（１）の垂下壁（１６）に外接する縦壁（２５）と、縦壁（２５）の下端から更に外周方向に向かって延設され本体フランジ部と面接する蓋体フランジ部（２６）とを備え、
底壁（１１）は段部（２２）内側の天井壁（２１）に載置可能な大きさに形成されるとともに、少なくとも本体側壁（１２）または蓋体側壁（２３）のいずれかに空気孔（Ａ）が形成されることを特徴とする食品用容器。
【請求項５】
容器本体（１）と、容器本体（１）を閉じる蓋体（２）とが合成樹脂フイルム材により形成される食品用容器であって、
容器本体（１）は、水平面を有する底壁（１１）と、底壁（１１）の周縁から底壁（１１）よりも上方に向けて延設される本体側壁（１２）と、本体側壁（１２）の上端から外周に向かって延設される水平段部（１５）と、水平段部（１５）の外周縁から垂下される垂下壁（１６）と、垂下壁（１６）の下端から外周に向かって延設される本体フランジ部（１３）とを備え、
蓋体（２）は、容器本体（１）を閉じたときに水平面となる天井壁（２１）と、天井壁（２１）の周縁から外側上方に延設される段部（２２）と、段部（２２）の外周縁から外側下方に向けて延設される蓋体側壁（２３）と、蓋体側壁（２３）の外周縁から外周に向けて延設され容器本体（１）の水平段部（１５）と面接する水平鍔部（２４）と、水平鍔部（２４）の外周縁に形成され、容器本体（１）の垂下壁（１６）に外接する縦壁（２５）と、縦壁（２５）の下端から更に外周方向に向かって延設され本体フランジ部と面接する蓋体フランジ部（２６）とを備え、
底壁（１１）は段部（２２）内側の天井壁（２１）に載置可能な大きさに形成されるとともに、本体側壁（１２）には、本体側壁（１２）を横断する凹部が並んだ複数の縦リブ（１５）が形成されるとともに、縦リブ（１５）の間の本体側壁（１２）に空気孔（Ａ）が形成されることを特徴とする食品用容器。
【請求項６】
本体側壁（１２）および蓋体側壁（２３）は傾斜面からなり、斜面上に空気孔（Ａ）が形成されることを特徴とする請求項１から請求項５のいずれかに記載の食品用容器。
【考案の詳細な説明】
【技術分野】
【０００１】
本考案は、容器本体と蓋体とが合成樹脂フイルム素材で成形される食品用容器に関し、さらに詳細には、小形の生鮮食品や果物を収納して陳列販売するのに適した使い捨てタイプの軽量の食品用容器に関する。
【背景技術】
【０００２】
従来から、合成樹脂フイルム素材で形成された容器であって、容器本体と蓋体とが形成される軽量の食品用容器は、使い捨てタイプの食品用容器として、種々の食品の包装用に製造されており、収納する食品の種類に応じて様々な工夫がなされて提供されている。
【０００３】
このような食品用容器の一つに、生鮮食品や果物等の鮮度が要求される食品を収納するためのものがあるが、これら食品の鮮度を保つために、蓋体の天板部分（天井壁）に空気流通用の小孔を形成したものが利用されている（特許文献１参照）。
【０００４】
また、店頭販売される生鮮食品は多様化しており、その食品に応じて、顧客が購買しやすい適量を、個々の容器に収納して販売する必要がある。そのため、容器の大きさや形状を、食品の販売単位に合わせて作るようにしている。
【特許文献１】特許第３３６４８００号公報
【考案の開示】
【考案が解決しようとする課題】
【０００５】
最近は、ブルーベリー、ミニトマト等のような小形の生鮮食品や果物を少量ずつ収納して陳列販売するものが多い。この場合、食品用容器自体も小型になるので、生鮮食品を容器内に収納した同形状の食品用容器を、数層に積み重ねて陳列し、店頭販売されるのが一般的である。したがって、容器どうしを安定して積層できるようにすることが必要であるとともに、積層された状態でも収納物の鮮度を維持できる容器が必要となる。ところが、上述した文献にあるような天板部分（天井壁）に空気流通用の小孔を形成した容器では、積層した状態にすると、小孔の上に他の容器が積み重ねられているので、空気の流通を十分に行うことが困難であった。
【０００６】
また、使い捨てタイプの合成樹脂フイルム素材で形成された軽量の食品用容器にあっては、材料コストの面から０．２〜０．６ｍｍ程度の薄さのもの、厚いものでも０．８ｍｍ程度までの薄い素材で製造される。そのため、積み重ねられた状態で下側になり、その上側に載置される容器の荷重が加わることになっても、容器が押しつぶされることなく十分に耐えるようにすることも必要である。
【０００７】
そこで、本考案は、複数の容器が積層状態で陳列されるときにも、鮮度を維持することができる食品用容器を提供することを目的とする。
さらに、本考案は鮮度を維持できるとともに、積層状態でも荷重に耐えうる食品用容器を提供することを目的とする。
【課題を解決するための手段】
【０００８】
この目的を達成するために講じた本考案の構成を、実施形態による説明で使用した符号を用いて説明すると、第一の考案は、容器本体１と、容器本体１を閉じる蓋体２とが合成樹脂フイルム材により形成される食品用容器であって、容器本体１は、水平面を有する底壁１１と、底壁１１の周縁から底壁１１よりも上方に向けて延設される本体側壁１２と、本体側壁１２の上端側で外周に向かって延設される本体フランジ部１３とを備え、蓋体２は、容器本体１を閉じたときに水平面となる天井壁２１と、天井壁２１の周縁に延設される蓋体側壁２３と、蓋体側壁２３の下端側で外周に向かって延設され本体フランジ部１３と面接する蓋体フランジ部２５とを備え、本体側壁１２および蓋体側壁２２に空気孔Ａが形成される構成としたものである。
【０００９】
また、第二の考案は、容器本体１と、容器本体１を閉じる蓋体２とが合成樹脂フイルム材により形成される食品用容器であって、容器本体１は、水平面を有する底壁１１と、底壁１１の周縁から底壁１１よりも上方に向けて延設される本体側壁１２と、本体側壁１２の上端側で外周に向かって延設される本体フランジ部１３とを備え、蓋体２は、容器本体１を閉じたときに水平面となる天井壁２１と、天井壁２１の周縁に延設される蓋体側壁２３と、蓋体側壁２３の下端側で外周に向かって延設され本体フランジ部１３と当接する蓋体フランジ部２５とを備え、蓋体側壁２２に空気孔Ａが形成され、容器本体１には空気孔が形成されない構成としたものである。
【００１０】
また、第三の考案は、容器本体１と、容器本体１を閉じる蓋体２とが合成樹脂フイルム材により形成される食品用容器であって、容器本体１は、水平面を有する底壁１１と、底壁１１の周縁から底壁１１よりも上方に向けて延設される本体側壁１２と、本体側壁１２の上端側で外周に向かって延設される本体フランジ部１３とを備え、蓋体２は、容器本体１を閉じたときに水平面となる天井壁２１と、天井壁２１の周縁に延設される蓋体側壁２３と、蓋体側壁２３の下端側で外周に向かって延設され本体フランジ部１３と当接する蓋体フランジ部２５とを備え、本体側壁１２に空気孔Ａが形成され、蓋体２には空気孔が形成されない構成としたものである。
【００１１】
また、第四の考案は、容器本体１と、容器本体１を閉じる蓋体２とが合成樹脂フイルム材により形成される食品用容器であって、容器本体１は、水平面を有する底壁１１と、底壁１１の周縁から底壁１１よりも上方に向けて延設される本体側壁１２と、本体側壁１２の上端から外周に向かって延設される水平段部１５と、水平段部１５の外周縁から垂下される垂下壁１６と、垂下壁１６の下端から外周に向かって延設される本体フランジ部１３とを備え、蓋体２は、容器本体１を閉じたときに水平面となる天井壁２１と、天井壁２１の周縁から外側上方に延設される段部２２と、段部２２の外周縁から外側下方に向けて延設される蓋体側壁２３と、蓋体側壁２３の外周縁から外周に向けて延設され容器本体１の水平段部１５と面接する水平鍔部２４と、水平鍔部２４の外周縁に形成され、容器本体１の垂下壁１６に外接する縦壁２５と、縦壁２５の下端から更に外周方向に向かって延設され本体フランジ部と面接する蓋体フランジ部２６とを備え、底壁１１は段部２２内側の天井壁２１に載置可能な大きさに形成されるとともに、少なくとも本体側壁１２または蓋体側壁２３のいずれかに空気孔Ａが形成される構成としたものである。
【００１２】
また、第五の考案は、容器本体１と、容器本体１を閉じる蓋体２とが合成樹脂フイルム材により形成される食品用容器であって、容器本体１は、水平面を有する底壁１１と、底壁１１の周縁から底壁１１よりも上方に向けて延設される本体側壁１２と、本体側壁１２の上端から外周に向かって延設される水平段部１５と、水平段部１５の外周縁から垂下される垂下壁１６と、垂下壁１６の下端から外周に向かって延設される本体フランジ部１３とを備え、蓋体２は、容器本体１を閉じたときに水平面となる天井壁２１と、天井壁２１の周縁から外側上方に延設される段部２２と、段部２２の外周縁から外側下方に向けて延設される蓋体側壁２３と、蓋体側壁２３の外周縁から外周に向けて延設され容器本体１の水平段部１５と面接する水平鍔部２４と、水平鍔部２４の外周縁に形成され、容器本体１の垂下壁１６に外接する縦壁２５と、縦壁２５の下端から更に外周方向に向かって延設され本体フランジ部と面接する蓋体フランジ部２６とを備え、底壁１１は段部２２内側の天井壁２１に載置可能な大きさに形成されるとともに、本体側壁１２には、本体側壁１２を横断する凹部が並んだ複数の縦リブ１５が形成されるとともに、縦リブ１５の間の本体側壁１２に空気孔Ａが形成される構成としたものである。
【００１３】
また、第六の考案は、上記考案において、本体側壁１２および蓋体側壁２３は傾斜面からなり、斜面上に空気孔Ａが形成される構成としたものである。
【考案の効果】
【００１４】
第一の考案によれば、閉蓋状態で水平面となる蓋体２の天井壁２１の上に、水平面を有する容器本体１の底壁１１を載置するようにして、複数の食品用容器を積層する。容器どうしは、安定して積み重ねることができ、本体側壁１２および蓋体側壁２３に空気孔Ａが形成されているので、下側容器の天井壁２１に上側容器の底壁１１が重なるように積層した状態でも、本体側壁１２および蓋体側壁２３に設けられた空気孔Ａは閉塞されることがなくなり、容器内を十分に通気させることができて食品の鮮度を保つことが可能となる。
【００１５】
第二の考案によれば、蓋体側壁２３に空気孔Ａが形成され、容器本体１には空気孔が形成されない構成としたので、水分等が発生しやすい食品を収納する場合であっても、空気孔Ａから液体がこぼれ落ちにくくなり、それでいて通気性を蓋体側壁２３の空気孔Ａで確保できるので、鮮度を維持できる。
【００１６】
第三の考案によれば、本体側壁１２に空気孔Ａが形成され、蓋体２には空気孔が形成されない構成としたので、上から雨水や水滴等が落下しても、水滴等が内部に浸入しにくくなり、それでいて通気性を容器本体１の空気孔Ａで確保できるので、鮮度を維持できる。
【００１７】
第四の考案によれば、容器本体１側の水平段部１５と蓋体２側の水平鍔部２４とが面接するようにしてあり、これらにより積層時の耐荷重性を強化できる。また、底壁１１は段部２２内側の天井壁２１に載置可能な大きさに形成されているので、積層するときに下側容器の天井壁２１上に、上側容器の底壁１１を積み重ねることができ、これにより、上下方向に整列して積層させることができるので、本体側壁１２または蓋体側壁２３の少なくともいずれかに設けた空気孔Ａは、他の容器によって閉塞されることを完全に防ぐことができる。
【００１８】
第五の考案によれば、本体側壁１２を横断する凹部が並んだ縦リブ１５が形成されるとともに、縦リブ１５の間の本体側壁１２に空気孔Ａが形成される構成としたので、耐荷重性を強化することができる。特に、縦リブ１５の間に空気孔Ａが形成される構成としたので、空気孔Ａを形成したことによる強度の劣化分を、縦リブ１５により補うことができる。
【００１９】
第六の考案によれば、上記考案において、本体側壁１２および蓋体側壁２３は傾斜面とし、傾斜面に空気孔Ａが形成されるようにしたので、空気孔Ａの上または下に空間が確保され、さらに容器を上下方向に積層するだけでなく、横方向に密着させて陳列させた場合にも空気流通性を向上させることができる。
【考案を実施するための最良の形態】
【００２０】
以下、本考案の構成を、図面を用いて説明する。ここでは、ブルーベリーを収納するための容器を例にして説明する。図１は、本考案の一実施形態である食品用容器の構成を示す平面図、図２はその正面図である。
【００２１】
本容器１０は、容器本体１と、蓋体２と、容器本体１と蓋体２とを接続するヒンジ部３とが一体に形成される。
容器１０の大きさは、四隅を円弧状とした約１００ｍｍ四方の正方形状とされ、容器本体１の深さを約２０ｍｍ、蓋体２の上下深さを約１０ｍｍとした大きさの容器であって、０．３〜０．４ｍｍの薄いＰＥＴ樹脂フイルム材によって形成してある。
【００２２】
本考案の容器を形成するに当たっては、従来から知られているブロー成型手段によって所定の形状を付与する。合成樹脂シートはこの様な容器に対して従来から用いられているシート材であればいかなる種類のものでも使用できるが、合成樹脂シート素材としてＰＥＴ（ポリエチレンテレフタレート）樹脂を使用すると廃材リサイクルが可能であり、また、焼却処理する場合でも発熱量が少ないので、焼却炉の寿命を縮めることなく、かつ、ダイオキシン等の有害物質の生成を排除でき公害問題解決に対処し得る利点がある。また、ＰＥＴ樹脂に代えて、生分解性プラスチック樹脂材を用いれば、廃棄処理が容易であり環境にやさしい容器とすることもできる。
【００２３】
容器本体１は、約７０ｍｍ四方の水平面を有する底壁１１と、底壁１１の周縁から外側上方に向けて延設される本体側壁１２とにより食品収納空間が形成される。本体側壁１２をより詳しく説明すると、傾斜面からなる下部側壁１２ａと下部側壁１２aより急斜面に形成された上部側壁１２ｂとの二段斜面構造にしてある。本体側壁１２（上部側壁１２ｂ）の上端は、容器本体１の上部開口を形成する。上部開口周縁には、外周方向に向かって延設された約３ｍｍ幅の水平段部１５と、水平段部１５の周縁から垂下された約４ｍｍ幅の垂下壁１６と、垂下壁１６の下端から更に外周方向に向かって延設された約３ｍｍ幅の本体フランジ部１３とを備えている。垂下壁１６の四隅部分には、上下方向幅の上半部に配置されて外周方向に向かってわずかに突出する外向き突出部１７が形成され、後述する蓋体２の対応部分と面接すると、蓋体２が閉じた状態で保持できるようにしてある。
【００２４】
また、容器本体１の四つの辺には、それぞれ上下方向に向けて凹部が形成された半円弧状の縦リブ１８が形成してあり、これら縦リブ１８を形成することによって、外観上の変化を与えるとともに耐圧変形強度の強化を図っている。なお、縦リブ１８の形状は半円弧状に限られず、他の形状であってもよい。また縦リブ１８の本数は容器の大きさに応じて増減するようにしてもよい。
【００２５】
隣り合う２つの縦リブ１８の間の本体側壁１２（下部側壁１２a）には、長円形状の空気孔Ａが形成されている。さらに本体側壁１２の四隅の位置にも空気孔Ａが形成されている。空気孔Ａの大きさは収納される食品が孔から飛び出ない程度にしてある。
【００２６】
蓋体２は、容器本体１を閉蓋状態にしたときに水平面となる約７５ｍｍ四方の天井壁２１を有する。天井壁２１の周縁には、外側上方に向けて約２ｍｍ程度立ち上がる段部２２が形成され、段部２２の外周縁は外側下方に向けて傾斜面となる蓋体側壁２３が形成される。蓋体側壁２３をより詳しく説明すると、段部２２からの連続曲面が傾斜面となっている上部側壁２３ａと、上部側壁２３ａよりも緩やかな平面状斜面からなる約２ｍｍ幅の下部側壁２３ｂとの二段斜面構造にしてある。
【００２７】
蓋体側壁２３（詳しくは下部側壁２３ｂ）の外周縁には、容器本体１の水平段部１５と面接する約３ｍｍ幅の水平鍔部２４が形成される。水平鍔部２４の外周縁には、容器本体１の垂下壁１６に外接する約５ｍｍ幅の縦壁２５と、縦壁２５の下端から更に外周方向に向かって延設された約３ｍｍ幅の蓋体フランジ部２６とを備えている。
【００２８】
縦壁２５の四隅部分には、上下方向幅の下半部に配置されて内周方向に向かって突出し、容器本体１における外向き突出部１７と上下方向において係合する位置関係に形成された内向き突出部２７が形成されている。既述のように、閉蓋状態で、外向き突出部１７と内向き突出部２７とが面接して係合することにより蓋体２が閉じた状態で保持できるようにしてある。
【００２９】
蓋体２の蓋体側壁２３（２３ａ，２３ｂ）には、四隅および四辺上において、それぞれ蓋体側壁２３の傾斜面を上下方向に横断するように、長円形状の空気孔Ａが間隔を開けて複数個形成されている。一部の空気孔Ａは、孔面積を広げるために、空気孔Ａの下端が水平鍔部２４に達するようにしてある。
【００３０】
容器本体１と蓋体２とを接続するヒンジ部３は、容器本体１および蓋体２とともに一体形成され、ヒンジ部３で折り曲げることにより、蓋体２の蓋体フランジ部２６と容器本体１の本体フランジ部１３とが面接するようにしてある。
【００３１】
このような構造とされた食品用容器１０は、容器本体１内にブルーベリーを所要量分入れて、上方から蓋体２を容器本体１に載せて軽く押し付ければ蓋体２が嵌合され、閉蓋状態にすることができる。閉蓋状態にしても、容器本体１や蓋体２に形成された空気孔Ａを介して内部を通気することができることから、ブルーベリーの鮮度の維持が容易である。
【００３２】
また、食品用容器１０は、店頭販売時に、数段程度は同型の容器どうしを積層する。すなわち、下側に配置される食品用容器１０の天井壁２１の上に、上側に配置される食品容器１０の底壁１１が載置されるようにして、次々と積層する。このとき、下側容器の天井壁２１の段部２２により、上側容器の底壁１１の載置位置が案内される。底壁１２と天井壁２１とは、面どうしが接触することになるが、本体側壁１２や蓋体側壁２３は、積層された状態でどこにも当接しない。したがって、本体側壁１２や蓋体２３に形成された空気孔Ａは、他の容器と接触して閉塞されることはないので、空気孔Ａにより空気流通性を確保できる。
【００３３】
容器どうしを積層することにより、下側の容器には、上側容器の荷重が付加されるが、水平段部１５や水平鍔部２４を設けたり、あるいは、容器本体１に縦リブが設けたりすることにより、耐荷重性を増すようにすることができる。
【００３４】
図３は、本考案の他の一実施形態である食品用容器の構成を示す平面図、図４はその正面図である。図において、図１、図２と同じものは同符号を付すことにより、説明を省略する。本実施形態では、容器本体１には空気孔Ａを設けておらず、蓋体２についてのみ空気孔Ａを形成するようにしている。
このように、容器本体１側に空気孔Ａを形成しないようにすることにより、水分等が発生しやすい食品を収納する場合であっても、容器本体１には空気孔がないので、空気孔Ａから液体がこぼれ落にくくなり、それでいて通気性を蓋体２の空気孔Ａで確保できるので、鮮度を維持できる。
【００３５】
図５は、さらに本考案の他の一実施形態である食品用容器の構成を示す平面図、図６はその正面図である。図において、図１、図２と同じものは同符号を付すことにより、説明を省略する。本実施形態では、蓋体２には空気孔Ａを設けておらず、容器本体１についてのみ空気孔Ａを形成するようにしている。
このように、蓋体２に空気孔Ａを形成しないようにすることにより、上から雨水や水滴等が落下しても、水滴等が内部に浸入しにくくなり、それでいて通気性を容器本体１の空気孔Ａで確保できるので、鮮度を維持できる。
【００３６】
なお、上述した実施形態では、いずれも容器本体１と蓋体２とをヒンジ部３で接続し一体形成するようにしたが、容器本体１と蓋体２とを別々に形成してもよい。
【図面の簡単な説明】
【００３７】
【図１】本考案の第一実施形態の食品用容器の平面図。
【図２】第一実施形態の食品容器の正面図。
【図３】本考案の第二実施形態の食品用容器の平面図。
【図４】第二実施形態の食品容器の正面図。
【図５】本考案の第三実施形態の食品用容器の平面図。
【図６】第三実施形態の食品容器の正面図。
【符号の説明】
【００３８】
１  容器本体
２  蓋体
３  ヒンジ部
１０、１０ａ、１０ｂ  食品用容器
１１  底壁
１２  本体側壁
１３  本体フランジ部
１５  水平段部
１６  垂下壁
１８  縦リブ
２１  天井壁
２２  段部
２３  蓋体側壁
２４  水平鍔部
２５  縦壁
２６  蓋体フランジ部
Ａ  空気孔
【図１】
0003125511.tif 000003
【図２】
0003125511.tif 000004
【図３】
0003125511.tif 000005
【図４】
0003125511.tif 000006
【図５】
0003125511.tif 000007
【図６】
0003125511.tif 000008
【手続補正書】
【提出日】平成18年7月19日(2006.7.19)
【手続補正１】
【補正対象書類名】明細書
【補正対象項目名】００２０
【補正方法】変更
【補正の内容】
【００２０】
以下、本考案の構成を、図面を用いて説明する。ここでは、ブルーベリーを収納するための容器を例にして説明する。図１は、本考案の一実施形態である食品用容器の構成を示す平面図、図２はその正面図である。また、図７はその斜視図である。
【手続補正２】
【補正対象書類名】明細書
【補正対象項目名】００３４
【補正方法】変更
【補正の内容】
【００３４】
図３は、本考案の他の一実施形態である食品用容器の構成を示す平面図、図４はその正面図である。また、図８はその斜視図である。図において、図１、図２と同じものは同符号を付すことにより、説明を省略する。本実施形態では、容器本体１には空気孔Ａを設けておらず、蓋体２についてのみ空気孔Ａを形成するようにしている。
このように、容器本体１側に空気孔Ａを形成しないようにすることにより、水分等が発生しやすい食品を収納する場合であっても、容器本体１には空気孔がないので、空気孔Ａから液体がこぼれ落にくくなり、それでいて通気性を蓋体２の空気孔Ａで確保できるので、鮮度を維持できる。
【手続補正３】
【補正対象書類名】明細書
【補正対象項目名】００３５
【補正方法】変更
【補正の内容】
【００３５】
図５は、さらに本考案の他の一実施形態である食品用容器の構成を示す平面図、図６はその正面図である。また、図９はその斜視図である。図において、図１、図２と同じものは同符号を付すことにより、説明を省略する。本実施形態では、蓋体２には空気孔Ａを設けておらず、容器本体１についてのみ空気孔Ａを形成するようにしている。
このように、蓋体２に空気孔Ａを形成しないようにすることにより、上から雨水や水滴等が落下しても、水滴等が内部に浸入しにくくなり、それでいて通気性を容器本体１の空気孔Ａで確保できるので、鮮度を維持できる。
【手続補正４】
【補正対象書類名】明細書
【補正対象項目名】００３７
【補正方法】変更
【補正の内容】
【００３７】
【図１】本考案の第一実施形態の食品用容器の平面図。
【図２】第一実施形態の食品容器の正面図。
【図３】本考案の第二実施形態の食品用容器の平面図。
【図４】第二実施形態の食品容器の正面図。
【図５】本考案の第三実施形態の食品用容器の平面図。
【図６】第三実施形態の食品容器の正面図。
【図７】第一実施例の容器の斜視図。
【図８】第二実施例の容器の斜視図。
【図９】第三実施例の容器の斜視図。
【手続補正５】
【補正対象書類名】図面
【補正対象項目名】図７
【補正方法】追加
【補正の内容】
【図７】
0003125511.tif 000009
【手続補正６】
【補正対象書類名】図面
【補正対象項目名】図８
【補正方法】追加
【補正の内容】
【図８】
0003125511.tif 000010
【手続補正７】
【補正対象書類名】図面
【補正対象項目名】図９
【補正方法】追加
【補正の内容】
【図９】
0003125511.tif 000011